(57)【要約】      （修正有）【課題】接続される被制御機器に適合しない場合でも、交換交換する必要がない火災報知設備の中継器を提供する。【解決手段】火災受信機２０からの制御に基づき出力を行い、接続されている被制御機器３０を動作させる火災報知設備１の中継器１０であって、無電圧出力、プラスコモン出力、マイナスコモン出力の何れかに出力形態を設定する出力設定部１３と、火災受信機から出力制御の信号を受信し、被制御機器へ出力を行う出力部１４と、出力線６０に被制御機器から電圧が印加されているか検出し、出力設定情報との合致を判定する検出部１５と、を備える。【選択図】図１
2016143262.tif 000002
【特許請求の範囲】
【請求項１】
火災受信機からの制御に基づき出力を行い、接続されている被制御機器を動作させる火災報知設備の中継器であって、
出力形態を設定する出力設定部を備えたことを特徴とする中継器。
【請求項２】
前記出力設定部は、前記火災受信機からの出力設定情報により出力形態を設定することを特徴とする請求項１に記載の中継器。
【請求項３】
被制御機器からの電圧の印加状態と前記出力設定情報とが合致するか判定する検出部を備え、前記検出部が被制御機器からの電圧の印加状態と前記出力設定情報とが合致すると判断したときに前記出力設定部が前記出力設定情報に従い出力形態を設定することを特徴とする請求項２に記載の中継器
【請求項４】
請求項２または請求項３に記載の中継器と、
前記中継器の出力設定情報を含むデータベースを格納した記憶部を備え、電源が供給され動作を開始すると、前記出力設定情報を前記中継器に送信する火災受信機とを備えたことを特徴とする火災報知設備。
【発明の詳細な説明】
【技術分野】
【０００１】
本発明は、防排煙機器等の被制御機器を動作させるための中継器及びそれを備えた火災報知設備に関する。
【背景技術】
【０００２】
従来の火災報知設備において、火災感知器が火災を検出すると火災受信機は、中継器の出力を動作させて、中継器に接続されている防火扉等の被制御機器を動作させる（例えば、特許文献１）。
中継器は、被制御機器が火災報知設備以外から供給される電源で動作する場合には、無電圧出力のものを使用し、被制御機器が火災報知設備から供給される電源で動作する場合には、有電圧出力のものを使用する。有電圧出力の中継器には、配線数を減らすため片方の極性の配線をコモン線とするものがあり、コモン線に電源のプラスを供給する場合にはプラスコモン出力のものを使用し、コモン線に電源のマイナスを供給する場合にはマイナスコモン出力のものを使用する。
【先行技術文献】
【特許文献】
【０００３】
【特許文献１】特開２００４−３００４９号公報
【発明の概要】
【発明が解決しようとする課題】
【０００４】
火災報知設備の中継器は、無電圧出力、プラスコモン出力、マイナスコモン出力等の何れかの出力形態のものを使用するが、接続される被制御機器に適合する出力形態の中継器を設置しなければならず、適合しない出力形態の中継器を設置してしまった場合には中継器を交換する必要があった。
また、設計変更やリニューアルにより接続される被制御機器が換わった場合に、それに合う出力形態の中継器に交換する必要があった。
【課題を解決するための手段】
【０００５】
本発明に係る中継器は、火災受信機からの制御に基づき出力を行い、接続されている被制御機器を動作させる火災報知設備の中継器であって、出力形態を設定する出力設定部を備えたことを特徴とする。
【発明の効果】
【０００６】
本発明によれば、中継器の出力を接続される被制御機器に適した出力形態に設定できるため、従来のように出力形態毎に必要な台数の中継器を区別して準備したり、接続される被制御機器に適合する出力形態の中継器を選択して設置場所に持って行ったりする必要がなく、施工コストを低減することができる。
また、被制御機器を換えた際に、中継器を交換することなく、被制御機器に適した出力形態にすることができる。
また、中継器の出力形態を火災受信機から変更できるため、中継器の設置場所まで行くことなく容易に出力形態の設定ができる。
また、中継器の出力形態は設置後に火災受信機のデータベースに従って設定されるので、火災報知設備の施工時に手動で複数の中継器の出力形態を設定する必要がない。
また、接続される被制御機器と火災受信機からの出力形態の設定情報が合致しないときは警報を行い、出力形態の設定を行わないため、中継器または被制御機器が壊れてしまったり、被制御機器が動作しなかったりということがない。
【図面の簡単な説明】
【０００７】
【図１】本発明の実施の形態に係る中継器およびそれを備えた火災報知設備の一例を示す概略構成図である。
【図２】本発明の実施の形態に係る中継器の出力の詳細構成図である。
【発明を実施するための形態】
【０００８】
以下、本発明の実施の形態について図面に基づき説明する。
図１は、本発明の実施の形態に係る中継器１０およびそれを備えた火災報知設備１の一例を示す概略構成図である。
火災報知設備１は、建物（例えば、ホテル、マンションなどの集合住宅、オフィスビル、商業施設など）の各部屋や共用部などに設置される中継器１０や火災感知器４０と、火災感知器４０の検出結果に基づいた警報を行い中継器１０の出力を動作させる火災受信機２０とが、伝送線５０によって接続されている。
【０００９】
中継器１０には、防火戸、シャッタ、垂れ壁等の火災の延焼や煙の拡散を防ぐ防排煙機器やベル等の火災を警報する音響機器等の中継器１０の出力によって動作する被制御機器３０が出力線６０によって接続されている。
ここで、図１においては、伝送線５０に中継器１０と火災感知器４０を１台ずつ図示しているが、伝送線５０には所定数以内（例えば１００台ずつ）の中継器１０および火災感知器４０を接続することができる。中継器１０および火災感知器４０には、それぞれの個体を識別するためのアドレス番号が付与されており、アドレス番号に基づき火災受信機２０と中継器１０および火災感知器４０は通信を行っている。
【００１０】
（中継器の構成）
中継器１０は、中継器伝送部１１、電源部１２、出力設定部１３、出力部１４および検出部１５を備える。
中継器伝送部１１は、火災受信機２０と通信を行い情報の授受を行う。中継器伝送部１１は、アドレス番号を記憶しており、火災受信機から自己のアドレス番号を含む通信信号を受信したときに、その通信信号に従った動作を中継器１０の各部に行わせる。
電源部１２は、火災受信機２０から伝送線５０を介して供給される電源を、被制御機器３０を動作させるための電源として定電圧回路等により所定の電圧に変換する。なお、本実施の形態においては、伝送線５０が電源線も兼ねているが、火災受信機２０と中継器１０の間に別途電源線を引くようにしてもよい。
【００１１】
出力設定部１３は、中継器１０の出力を、無電圧出力、プラスコモン出力、マイナスコモン出力の何れかの出力形態に設定する。
出力部１４は、火災受信機２０から出力制御の通信信号を受信したときに、被制御機器３０に対して出力を行う。
検出部１５は、出力線６０に被制御機器３０から電圧が印加されているかを検出し、後述する火災受信機から出力設定情報を受信した場合には、電圧の印加状態と出力設定情報が合致するか判定する。
【００１２】
ここで、図２に基づき出力設定部１３および出力部１４による出力の詳細について説明する。
なお、図２において、中継器１０は４つの出力を行うことができ、それぞれの出力に被制御機器３０−１〜３０−４が出力線６０を介して接続されている。
出力設定部１３は、電源１２と出力部１４の接続状態を設定するための設定切替スイッチＣＴ１〜５を備える。
出力部１４は、出力を行う出力スイッチＳＷ１〜４および出力線６０である６０−１〜５を接続する端子ＴＭ１〜５を備える。
出力線６０−５は、被制御機器３０−１〜４の全てが並列に接続されるコモン線となっている。
【００１３】
なお、出力スイッチＳＷ１による出力を出力１と呼び、同様に他の出力スイッチによる出力を出力スイッチの符号ＳＷに続く番号をｎとしたとき出力ｎと呼ぶ。また、出力スイッチＳＷ１〜４のいずれかを特定しない場合には、出力スイッチＳＷと総称し、同様に端子ＴＭ１〜５についても端子ＴＭ、設定切替スイッチＣＴ１〜５についても設定切替スイッチＣＴと総称することがある。
【００１４】
出力１は、出力スイッチＳＷ１の一方に、被制御機器３０−１が接続される出力線６０−１を接続する端子ＴＭ１が接続されており、被制御機器３０−１を動作させるときに出力スイッチＳＷ１を閉じて出力を行う。同様に被制御機器３０−２を動作させる出力２は、出力スイッチＳＷ２の一方に、被制御機器３０−２が接続される出力線６０−２を接続する端子ＴＭ２が接続されている。被制御機器３０−３を動作させる出力３は、出力スイッチＳＷ３の一方に、被制御機器３０−３が接続される出力線６０−３を接続する端子ＴＭ３が接続されている。被制御機器３０−４を動作させる出力４は、出力スイッチＳＷ４の一方に、被制御機器３０−４に接続される出力線６０−４を接続する端子ＴＭ４が接続されている。
【００１５】
出力スイッチＳＷ１〜４の他方および設定切替スイッチＣＴ１、ＣＴ３、ＣＴ４は、回路線Ａで接続されている。
被制御機器３０−１〜４が並列接続される出力線６０−５を接続する端子ＴＭ５は、回路線Ｂにより、設定切替スイッチＣＴ１、ＣＴ２、ＣＴ５と接続されている。
設定切替スイッチＣＴ２およびＣＴ４は、電源１２のプラスに接続され、設定切替スイッチＣＴ３およびＣＴ５は、電源１２のマイナスに接続されている。
【００１６】
（出力設定）
中継器１０の出力形態を無電圧出力とする場合には、設定切替スイッチＣＴ１をクローズ（短絡）し、他の設定切替スイッチＣＴ２〜５をオープン（開放）とする。これにより、出力１を例に説明すると、被制御機器３０−１、出力線６０−１、端子ＴＭ１、出力スイッチＳＷ１、回路線Ａ、設定切替スイッチＣＴ１、回路線Ｂ、端子ＴＭ５、出力線６０−５、被制御機器３０−１の経路の無電圧出力１が形成される。出力スイッチＳＷ１がクローズ（短絡）すると、被制御機器３０−１からの電流が無電圧出力１の経路により被制御機器３０−１に戻り、被制御機器３０−１内部の継電器等に電流が流れて被制御機器３０−１が動作する。
【００１７】
中継器１０の出力形態をプラスコモン出力とする場合には、設定切替スイッチＣＴ２およびＣＴ３をクローズ（短絡）し、他の設定切替スイッチＣＴ１、ＣＴ４、ＣＴ５をオープン（開放）とする。これにより、出力１を例に説明すると、電源部１２のプラス、設定切替スイッチＣＴ２、回路線Ｂ、端子ＴＭ５、出力線６０−５、被制御機器３０−１、出力線６０−１、端子ＴＭ１、出力スイッチＳＷ１、回路線Ａ、設定切替スイッチＣＴ３、電源部１２のマイナスの経路のプラスコモン出力１が形成される。出力スイッチＳＷ１がクローズ（短絡）すると、電源部１２のプラスからの電流がプラスコモン出力１の経路により、被制御機器３０−１を流れ電源部１２のマイナスに戻り、被制御機器３０−１内部の継電器等に電流が流れて被制御機器３０−１が動作する。
【００１８】
中継器１０の出力形態をマイナスコモン出力とする場合には、設定切替スイッチＣＴ４およびＣＴ５をクローズ（短絡）し、他の設定切替スイッチＣＴ１〜３をオープン（開放）とする。これにより、出力１を例に説明すると、電源部１２のプラス、設定切替スイッチＣＴ４、回路線Ａ、出力スイッチＳＷ１、端子ＴＭ１、出力線６０−１、被制御機器３０−１、出力線６０−５、端子ＴＭ５、回路線Ｂ、設定切替スイッチＣＴ５、電源部１２のプラスの経路のマイナスコモン出力１が形成される。出力スイッチＳＷ１がクローズ（短絡）すると、電源部１２のプラスからの電流がマイナスコモン出力１の経路により、被制御機器３０−１を流れ電源部１２のマイナスに戻り、被制御機器３０−１内部の継電器等に電流が流れて被制御機器３０−１が動作する。
【００１９】
中継器１０の出力形態の設定は、出力設定部１３の設定切替スイッチＣＴをスライドスイッチやジャンパースイッチ等の手動切替スイッチとすれば、作業員が中継器１０において手作業で設定することができる。
【００２０】
次に、設定切替スイッチＣＴを外部からの制御によってクローズ／オープンするリレー接点等とし、火災受信機１０から切り替えられるようにした場合について説明する。
【００２１】
（火災受信機の構成）
火災受信機２０は、受信機伝送部２１、記憶部２２、警報部２３および操作部２４を備える。
受信機伝送部２１は、伝送線５０を介して中継器１０および火災感知器４０と通信を行い情報の授受を行う。
記憶部２２は、各中継器１０の出力形態を無電圧出力、プラスコモン出力、マイナスコモン出力の何れかに設定するための出力設定情報を含む火災報知設備１の様々な設定情報をデータベースとして格納している。
警報部２３は、火災感知器４０から火災の通知を受けたとき、あるいは異常等が発生したときに、表示灯やスピーカによる音声出力等により警報を行う。
操作部２４は、タッチパネル等の入力スイッチを有し、警報部２３の警報を停止させたり、中継器１０の出力形態を変更したりするための入力操作を行う。
【００２２】
（火災報知設備の動作）
火災報知設備１の動作について説明する。
火災報知設備１は、火災受信機２０に電源が供給されると動作を開始する。
最初に火災受信機２０は、記憶部２２のデータベースの設定情報に基づき、火災受信機２０の様々な動作の設定を行う。
受信機伝送部２１は、記憶部２２のデータベースに含まれる中継器１０の出力設定情報を読み込み、通信信号としてアドレス番号を指定して各中継器１０に出力設定情報を送信する。
【００２３】
中継器１０は、火災受信機２０からの通信信号を受信すると、中継器伝送部１１が通信信号の内容を判断し、内容が自己のアドレスかつ出力設定情報である場合には、検出部１５が出力線６０への被制御機器３０からの電圧の印加状態と出力設定情報が合致するか判断する。具体的には、検出部１５は、出力線６０に電圧が印加されており、出力設定情報が無電圧出力である場合に合致していると判断する。また、検出部１５は、出力線６０に電圧が印加されておらず、出力設定情報が有電圧出力であるプラスコモン出力またはマイナスコモン出力である場合には合致していると判断する。
検出部１５が出力線６０への電圧の印加状態と出力設定情報が合致していると判断した場合は、出力設定部１３が出力設定として出力設定情報に従い設定切替スイッチＣＴをクローズ（短絡）する。
【００２４】
検出部１５が出力線６０への電圧の印加状態と出力設定情報が合致していないと判断した場合は、出力設定部１３は出力設定を行わず設定切替スイッチＣＴを全てオープン（開放）のままとし、中継器伝送部１１から火災受信機２０に出力設定異常を知らせる通信信号を送信する。
火災受信機２０は、受信機伝送部２１が中継器１０からの出力設定異常の通信信号を受信すると警報部２３で出力設定異常であることを表示や音声等で警報する。
これにより、中継器１０からの電源と被制御機器３０からの電源が混色して中継器１０および被制御機器３０が故障する、あるいは出力しても被制御機器に電源が供給されず動作しないということがなくなる。
【００２５】
（防排煙機器が変更になった場合）
次に、設備の更新やリニューアル等により被制御機器３０が変更され、中継器１０の出力形態を変更する場合について説明する。
中継器の出力形態を変更する場合には、火災受信機２０の操作部２４により、出力形態を変更する中継器１０のアドレス番号と被制御機器３０に適合する出力形態を入力する。入力が完了すると受信機伝送部２１は、通信信号として入力されたアドレス番号を指定して中継器１０に出力設定情報を送信する。通信信号を受信した中継器１０は、上記火災報設備１の動作開始の説明と同様に、出力線６０への電圧の印加状態と出力設定情報が合致している場合には、出力設定情報の出力形態に出力設定部１３が設定を行い、合致していない場合には火災受信機２０で出力設定異常の警報を行う。
【００２６】
上記のように、中継器１０の出力を接続される被制御機器３０に適した出力形態に容易に変更することができるため、例えば無電圧出力３５台、プラスコモン出力２１台、マイナスコモン出力２３台のように出力形態毎に必要な台数の中継器を区別して準備する必要がなく、７９台の中継器１０を準備するだけでよい。また、設置場所Ｘには無電圧出力の中継器、設置場所Ｙにはプラスコモン出力の中継器のように、設置場所毎に適した出力形態の中継器を選択して持って行く必要がない。そのため、出力形態毎に中継器を管理する必要がなく施工コストを低減することができる。
【００２７】
また、機器の更新やリニューアル等により、プラスコモン出力で動作させる被制御機器３０から無電圧出力で動作させる被制御機器３０に変更になるような場合でも、中継器１０を交換することなく、被制御機器３０に適した出力形態にすることができる。
また、中継器１０がセキュリティ上の理由により入りにくい、あるいは天井裏等に設置され手が届きにくい場所に設置されていても、中継器１０の設置場所まで行くことなく火災受信機２０から中継器１０の出力形態の設定を変更できる。特に、複数の中継器１０の設定を変更する場合にはその効果が大きい。
また、中継器１０の出力形態は設置後に火災受信機２０のデータベースに従って設定が行われるので、火災報知設備１の施工時に複数の中継器１０の個々に手動で設定する必要がない。
また、接続される被制御機器３０と火災受信機からの出力形態の設定情報が合致しないときは警報を行い、出力の設定を行わないため、中継器１０または被制御機器３０が壊れてしまったり、被制御機器３０が動作しなかったりということがない。
【００２８】
なお、出力形態の設定として、無電圧出力、プラスコモン出力、マイナスコモン出力について説明したが、コモン化するかしないか、２つの出力を無電圧出力としその他の出力を有電圧出力にする等の様々な設定ができるようにしてもよい。
【符号の説明】
【００２９】
１  火災報知設備、１０  中継器、１１  中継器伝送部、１２  電源部、１３  出力設定部、１４  出力部、１５  検出部、２０  火災受信機、２１  受信機伝送部、２２  記憶部、２３  警報部、２４  操作部、３０（３０−１、３０−２、３０−３、３０−４）  被制御機器、４０  火災感知器、５０  伝送線、６０（６０−１、６０−２，６０−３、６０−４、６０−５）出力線、ＣＴ（ＣＴ１、ＣＴ２、ＣＴ３、ＣＴ４、ＣＴ５）  設定切替スイッチ、ＳＷ（ＳＷ１、ＳＷ２、ＳＷ３、ＳＷ４）  出力スイッチ、ＴＭ（ＴＭ１、ＴＭ２、ＴＭ３、ＴＭ４、ＴＭ５）  端子、Ａ  回路線、Ｂ  回路線
【図１】
2016143262.tif 000003
【図２】
2016143262.tif 000004